(57)【要約】      （修正有）【課題】利用者が、鏡に映った自分と化粧をする際の見本となる顔写真とを比較することで、化粧を綺麗に仕上げることができ、かつ、取り扱いが容易であり、比較的安価に製造できる化粧用鏡を提供する。【解決手段】鏡を備える鏡本体と、鏡本体にヒンジで接合され、化粧の際に、鏡に映った自分と比較するための顔写真を貼り付け可能な一以上の貼付部とを有する。【選択図】図１
0003156740.tif 000002
【実用新案登録請求の範囲】
【請求項１】
鏡を備える鏡本体と、
鏡本体にヒンジで接合され、
化粧の際に、鏡に映った自分と比較可能とするための顔写真を貼り付け可能な一以上の貼付部と、
を有する化粧用鏡。
【考案の詳細な説明】
【技術分野】
【０００１】
本件考案は、化粧用鏡に関する。
【背景技術】
【０００２】
化粧を綺麗に仕上げることができるための化粧用鏡については、従来技術として、使用者を映し出す鏡と、化粧をする際の見本となる見本画像を表示する電子ディスプレイ手段とからなる化粧鏡装置等が存在する（特許文献１参照）。
【先行技術文献】
【特許文献】
【０００３】
【特許文献１】特開２００２−２６６５５７号公報
【考案の開示】
【考案が解決しようとする課題】
【０００４】
しかしながら、電子ディスプレイ手段を備えることとすると、装置が複雑となるため、持ち運びや使用の際の扱いに注意が必要であり、携帯性に問題がある。また、装置が複雑となるため、装置各部に故障が発生するおそれがある。また、電子機器の操作は、難しい場合も多く、特に高齢者は苦手意識が強い。電子機器であるため、電力の供給が必要となるため、地球環境に優しくない。また、製造にかかるコストは、比較的高価である。
【課題を解決するための手段】
【０００５】
そこで、本考案の考案者は、下記の化粧用鏡を提供する。
【０００６】
すなわち、鏡を備える鏡本体と、鏡本体にヒンジで接合され、化粧の際に、鏡に映った自分と比較可能とするための顔写真を貼り付け可能な一以上の貼付部と、を有する化粧用鏡を提供する。
【考案の効果】
【０００７】
本考案により、利用者は、鏡に映った自分と顔写真とを比較することで、化粧を綺麗に仕上げることができる。また、本考案の化粧用鏡は、取り扱いが容易であり、比較的安価に製造できる。
【図面の簡単な説明】
【０００８】
【図１】本実施形態における化粧用鏡の構成を示す図の一例
【図２】本実施形態における化粧用鏡の大型のものの構成を示す図の一例
【符号の説明】
【０００９】
０１０１、０２０１  鏡本体
０１０２、０１０３、０１０４、０１０５、０２０２、０２０３  貼付部
【考案を実施するための形態】
【００１０】
以下に、本考案の実施形態を説明する。なお、本考案はこれら実施形態に何ら限定されるものではなく、その要旨を逸脱しない範囲において、種々なる態様で実施しうる。
<<実施形態>>
<実施形態：概要>
【００１１】
本実施形態における化粧用鏡は、鏡本体と、貼付部と、からなり、貼付部は鏡本体にヒンジで接合されている点、貼付部には、化粧の際に、鏡に映った自分と比較可能とするための顔写真を貼り付け可能な点に特徴を有する。
<実施形態：構成>
（全体）
【００１２】
本実施形態における化粧用鏡は、鏡本体と、貼付部と、からなり、貼付部は鏡本体にヒンジで接合されている。ヒンジで接合されることにより、貼付部と鏡本体を折りたたんで略密着させることができ、不使用時に邪魔にならない。
【００１３】
図１は、本実施形態における化粧用鏡の構成を示す図の一例である。この図のように、鏡本体（０１０１）を四角形とし、４つの貼付部（０１０２、０１０３、０１０４、０１０５）が、鏡本体の四辺にそれぞれ接合されていても良い。あるいは、対向する２辺に貼付部がそれぞれ接合されていても良い。あるいは、鏡を備える四角形の鏡本体と、鏡本体の一以上の辺にヒンジで接合され、化粧の際に、鏡に映った自分と比較可能とするための顔写真を貼り付け可能な一以上の貼付部と、を有する化粧用鏡としても良い。
【００１４】
本実施形態に係る化粧用鏡の大きさは特に限定されない。ハンドバック等に入れて持ち運べるように小型のものとすることもできる。小型とすれば、取り扱いが容易で携帯性に優れる。
【００１５】
あるいは、据え置いて使用するよう大型のものとすることもできる。大きさは、例えば、鏡本体に備えられた鏡に、頭部全体又は上半身を略実物大に映すことができ、貼付部には、略実物大の写真を貼り付けることができる程度としても良い。このようにすれば、実物大での比較が可能になるので、化粧を、より簡単に綺麗に仕上げることができる。
【００１６】
図２は、本実施形態における化粧用鏡の大型のものの構成を示す図の一例である。例えばこの図のように、四角形の鏡本体（０２０１）と、鏡本体の対向する二辺にヒンジで接合された貼付部（０２０２、０２０３）を有する構成をとることが考えられる。このような構成をとれば、室内に置く場合にも、通常の三面鏡と外観が異ならず、違和感がない。
（鏡本体）
【００１７】
鏡本体は、鏡を備える。鏡本体の形は、特に限定されない。例えば、図１のように四角形としてもよい。あるいは、ハート形、円形、その他の形でもよい。ハート形、円形、その他の形とすることで、デザイン性が向上する。
【００１８】
また、鏡本体に備えられている鏡の形は、四角形でも良いし、それ以外の形でも良い。
（貼付部）
【００１９】
貼付部は、化粧の際に、鏡に映った自分と比較可能とするための顔写真を貼り付け可能である。
【００２０】
本考案では、顔写真を貼り付けるという比較的簡易な構成をとるため、装置各部に故障が発生するおそれも小さく、仮に発生しても修理が容易である。また、操作は、折りたたまれた貼付部を開くだけと簡単である。電力の供給も必要ないので、地球環境に優しい。製造にかかるコストは、比較的安価である。
【００２１】
貼り付けは、貼付部に顔写真を固定する方法であれば、特段限定されない。例えば、写真の全部又は一部を接着して貼り付ける方法だけでなく、直角三角形の差込口を有する固定用シールを四か所接着し写真の四隅を差し込む方法、貼付部に細い溝を設けて、この溝に写真を差し込むなどの固定方法が挙げられる。
【００２２】
貼付部の大きさは、例えば、鏡本体と略同大としても良い。あるいは、図１のように、ヒンジで接合された横幅は鏡本体と略同じ長さであり、縦幅は鏡本体の略半分の長さとしてもよい。このようにすれば、対向する２つの貼付部をそれぞれ鏡本体に略密着するよう折りたたんだときに、対向する貼付部同士が重ならず、コンパクトに折りたたむことができるので、不使用時に邪魔にならない。また、携帯用の小型の化粧用鏡では、携帯性が増す。
【００２３】
貼付部の形は、特に限定されない。例えば、鏡本体にあわせて、ハート型や、ハートを中央で縦に分割した形などにすることもできる。あるいは、円形として、使用時に貼付部を開いた際、鏡本体に対して動物の耳をイメージさせるようにすることも考えられる。  また、この顔写真は、利用者が、略髪の生え際付近から略あごまでの顔面を鏡に映した際に、略同大となる大きさに写真を拡大又は縮小したものであることが望ましい。このように大きさを調整することで、比較が容易になり、化粧を綺麗に仕上げることができる。
【００２４】
あるいは、大型の鏡では、頭部全体又は上半身を実物と同じ大きさとなるように拡大又は縮小した写真を用いるとよい。この場合は、比較が特に容易になり、化粧を綺麗に仕上げることができる。
【００２５】
また、大きさを調整した顔写真を貼り付ける際は、貼付部の大きさに合わせて、上下又は左右に分割して使用すると良い。例えば、図１のように、上下に分割して貼り付けるといった具合である。このようにすれば、比較する自分の顔のパーツと、見本となる顔写真におけるパーツとの位置が近くなるので、比較が容易になる。
【００２６】
あるいは、顔の上半分（眉付近）や下半分（唇付近）など、メイクのポイントとなる部分を、華やかなメイクや落ち着いたメイク、普段用のメイクやパーティー用のメイクなど、いろいろなテーマに沿って化粧を行い、それぞれの貼付部に貼り付けても良い。
【００２７】
この顔写真は、メイクアップアーティストなどのプロが、利用者自身に化粧を行い、その顔を写真に撮影したものであることが望ましい。利用者自身の顔写真を使うことで、比較が容易になるので、プロの行った化粧を簡単に再現でき、化粧を綺麗に仕上げることができる。
【００２８】
さらに、利用者自身の顔写真を利用する場合、この顔写真は、鏡に映る顔と同じになるように左右を反転させて貼り付けることが望ましい。このように左右反転処理を行うことで、比較が容易になり、化粧を綺麗に仕上げることができる。
<実施形態：効果>
【００２９】
本実施形態における化粧用鏡により、利用者は、鏡に映った自分と顔写真とを比較することで、化粧を綺麗に仕上げることができる。また、本考案の化粧用鏡は、取り扱いが容易であり、比較的安価に製造できる。
【図１】
0003156740.tif 000003
【図２】
0003156740.tif 000004